(57)【要約】【課題】個人を識別した結果に基づいて、当該個人による設備機器の操作を許可又は禁止するホームコントロールシステムを提供する。【解決手段】ホームコントロールシステム制御部４０は、リビング８０に存在する居住者７２Ａ、７２Ｂ、キッチンに存在する居住者７２Ｃ、洗面所に存在する居住者７２Ｄの各々が所有するスマートキー７４Ａ、７４Ｂ、７４Ｃ、７４Ｄから受信した識別情報を操作許可情報に照合して、居住者７２Ａ、７２Ｂのテレビ６２又はエアコン６４の操作の可否、居住者７２Ｃの炊飯器６６又はＩＨヒーター６８の操作の可否、居住者７２Ｄの洗濯機７０の操作の可否を各々決定する。【選択図】図１
2014232983.tif 000002
【特許請求の範囲】
【請求項１】
所有者固有の識別情報を記録した電子鍵と、
建物の所定の領域に設けられ、前記電子鍵との通信により前記電子鍵から前記識別情報を取得する識別情報取得手段と、
前記建物内に設けられ、前記建物内の他の装置から制御が可能な設備機器と、
前記所有者の識別情報に前記所有者による前記設備機器の操作の許可又は禁止を対応付けた操作許可情報が記憶された記憶手段と、
前記識別情報取得手段が取得した前記識別情報を前記操作許可情報と照合し、前記識別情報に係る所有者による前記設備機器の操作の許可又は禁止をする制御手段と、
を備えたホームコントロールシステム。
【請求項２】
前記制御手段は、前記識別情報取得手段が前記所定の領域で複数の識別情報を取得し、該取得した複数の識別情報を前記操作許可情報と照合した結果、少なくとも１の所有者に対して前記設備機器の操作を許可する場合には、前記所定の領域に存在する所有者の前記設備機器の操作を可能にする請求項１に記載のホームコントロールシステム。
【発明の詳細な説明】
【技術分野】
【０００１】
本発明は、住宅に設けられている設備機器の動作を制御するホームコントロールシステムに関する。
【背景技術】
【０００２】
子供又は高齢者による設備機器の操作を禁止することにより、設備機器の誤操作による事故等のトラブルを防止する技術がある。
【０００３】
特許文献１では、家庭内ローカルエリアネットワーク（ＬＡＮ）に接続され、相互に通信可能な通信機能を有した家電製品に対し、携帯電話機からの指示により動作ロックが可能なネットワーク家電が開示されている。
【先行技術文献】
【特許文献】
【０００４】
【特許文献１】特開２００８−００５２６７号公報
【発明の概要】
【発明が解決しようとする課題】
【０００５】
しかしながら、特許文献１に記載の技術は、動作ロックされた家電製品を使用可能にするには手動で動作ロックを解除する必要があり、煩雑な操作を要するという問題点があった。
【０００６】
本発明は、上記事実を考慮して成されたもので、個人を識別した結果に基づいて、当該個人による設備機器の操作を許可又は禁止するホームコントロールシステムを提供することを目的とする。
【課題を解決するための手段】
【０００７】
上記課題を解決するための請求項１の発明は、所有者固有の識別情報を記録した電子鍵と、建物の所定の領域に設けられ、前記電子鍵との通信により前記電子鍵から前記識別情報を取得する識別情報取得手段と、前記建物内に設けられ、前記建物内の他の装置から制御が可能な設備機器と、前記所有者の識別情報に前記所有者による前記設備機器の操作の許可又は禁止を対応付けた操作許可情報が記憶された記憶手段と、前記識別情報取得手段が取得した前記識別情報を前記操作許可情報と照合し、前記識別情報に係る所有者による前記設備機器の操作の許可又は禁止をする制御手段と、を備えている。
【０００８】
請求項１に記載の発明によれば、識別情報取得手段が受信した電子鍵の所有者の識別情報を操作許可情報に照合して電子鍵の所有者による設備機器の操作の許可又は禁止をすることができる。
【０００９】
請求項２の発明は、請求項１に記載の発明において、前記制御手段は、前記識別情報取得手段が前記所定の領域で複数の識別情報を取得し、該取得した複数の識別情報を前記操作許可情報と照合した結果、少なくとも１の所有者に対して前記設備機器の操作を許可する場合には、前記所定の領域に存在する所有者の前記設備機器の操作を可能にする。
【００１０】
請求項２に記載の発明によれば、所定の領域に複数存在する電子鍵の所有者のうち、少なくとも１人に設備機器の操作が許可される場合には、所定の領域に存在する他の電子鍵の所有者も設備機器が操作可能なように設備機器を制御する。
【発明の効果】
【００１１】
以上説明したように、請求項１に記載の発明は、識別情報取得手段が受信した電子鍵の所有者の識別情報を操作許可情報に照合して電子鍵の所有者による設備機器の操作の許可又は禁止をする。これにより、個人を識別した結果に基づいて、当該個人による設備機器の操作を許可又は禁止できるという効果を有する。
【００１２】
請求項２に記載の発明によれば、所定の領域に複数存在する電子鍵の所有者のうち、少なくとも１人に設備機器の操作が許可される場合には、所定の領域に存在する他の電子鍵の所有者も設備機器が操作可能なように設備機器を制御する。これにより、設備機器の操作が許可される者が少なくとも１人含まれる場合には、他の者も設備機器の操作ができるという効果を有する。
【図面の簡単な説明】
【００１３】
【図１】本発明の実施の形態に係るホームコントロールシステムの一例を示す概略図である。
【図２】本発明の実施の形態に係るホームコントロールシステム制御部の概略構成を示すブロック図である。
【図３】本発明の第１の実施の形態に係るホームコントロールシステムにおける個人の特定に基づく設備機器の操作の許可又は禁止の処理の一例を示すフローチャートである。
【図４】本発明の実施の形態に係るホームコントロールシステムにおける操作許可情報の一例を示す図である。
【図５】本発明の実施の形態に係るホームコントロールシステムにおける母と子供が同じ室内にいる場合の操作許可情報の一例を示す図である。
【図６】本発明の実施の形態に係るホームコントロールシステムにおける子供と高齢者が同じ室内にいる場合の操作許可情報の一例を示す図である。
【発明を実施するための形態】
【００１４】
以下、図面を参照して本発明の実施の形態の一例を詳細に説明する。図１は、本実施の形態に係るホームコントロールシステム１０の一例を示す概略図である。
【００１５】
図１に示したように、本実施の形態では、系統電力２２からの電力が、主幹ブレーカー１００を介して住宅２０等の建物の分電盤２４に供給されている。また、主幹ブレーカー１００の系統電力側には、系統電力２２から供給される電力の電流値を検知する主幹ブレーカー電流センサ１２０が設けられている。
【００１６】
系統電力２２から分電盤２４に供給された電力は、分岐回路３０Ａ〜３０Ｅを介して設備機器に供給される。分岐回路３０Ａにはテレビ６２が、分岐回路３０Ｂにはエアコン６４が、分岐回路３０Ｃには炊飯器６６が、分岐回路３０ＤにはＩＨヒーター６８が、分岐回路３０Ｅには洗濯機７０が各々接続されている。テレビ６２、エアコン６４、炊飯器６６、ＩＨヒーター６８及び洗濯機７０の各設備機器にはホームコントロールシステム制御部４０に各々の稼働状況を通知する情報線が接続されている。また、各設備機器は、接続されている情報線を介して建物内のエネルギーの管理や制御を行うホームコントロールシステム制御部４０によって制御される。
【００１７】
分岐回路３０Ａ〜３０Ｅには分岐回路３０Ａ〜３０Ｅの電流値を計測する電流センサ３２Ａ〜３２Ｅが各々設けられている。電流センサ３２Ａ〜３２Ｅからの情報線は、ホームコントロールシステム制御部４０が分電盤２４を制御するための情報線と共にホームコントロールシステム制御部４０に接続されている。なお、図１において破線は計測データ又は制御情報が流れる情報線であるとする。
【００１８】
分電盤２４の分岐回路３０Ａ〜３０Ｅには、分岐回路３０Ａ〜３０Ｅをオン状態又はオフ状態に切り替えるための分岐ブレーカー３４Ａ〜３４Ｅが各々設けられ、分岐ブレーカー３４Ａ〜３４Ｅは、ホームコントロールシステム制御部４０によって制御される。
【００１９】
なお、図１では、記載の簡略化のために分岐回路は５系統のみ記載しているが、本実施の形態では５系統以上でも５系統以下でもよく、分岐回路の本数に特段の限定はない。
【００２０】
また、本実施の形態では、住宅２０の居住者７２Ａ、７２Ｂ、７２Ｃ、７２Ｄは、ドア等の施錠及び解錠が可能であると共に居住者７２Ａ〜７２Ｄに固有の識別情報を記録したスマートキー７４Ａ、７４Ｂ、７４Ｃ、７４Ｄを各々所有している。スマートキー７４Ａ〜７４Ｄは、一例としてカード型のキーであり、記録した識別情報を送信可能に構成されている。また、スマートキー７４Ａ〜７４Ｄは、前述の識別情報を送信可能に構成したスマートホン等の携帯情報端末であってもよい。
【００２１】
また、テレビ６２及びエアコン６４を備えた所定の領域であるリビング８０にはセンサ８６Ａが、炊飯器６６及びＩＨヒーター６８を備えた所定の領域であるキッチン８２にはセンサ８６Ｂが備えられている。さらに、洗濯機７０を備えた所定の領域である洗面所８４にはセンサ８６Ｃが設けられている。センサ８６Ａ〜８６Ｃは、スマートキー７４Ａ〜７４Ｄを検知してスマートキー７４Ａ〜７４Ｄの識別情報を取得し、取得した識別情報をホームコントロールシステム制御部４０に送信する。ホームコントロールシステム制御部４０は、センサ８６Ａ〜８６Ｃからの識別情報に基づいて、居住者７２Ａ〜７２Ｄを識別すると共に、識別した居住者７２Ａ〜７２Ｄに対して設備機器の操作の許可又は禁止をする。なお、センサ８６Ａ〜８６Ｃとスマートキー７４Ａ〜７４Ｄとの通信は以下の２種類が考えられる。一つは、センサ８６Ａ〜８６Ｃから発信される電磁波でスマートキー７４Ａ〜７４Ｄに電力がチャージされ、識別情報の送信が可能になるパッシブ型。もう一つは、スマートキー７４Ａ〜７４Ｄが備える電池等の電力を用いて識別情報をセンサ８６Ａ〜８６Ｃに送信するアクティブ型である。本実施の形態では、パッシブ型、アクティブ型のいずれの方式でもよい。
【００２２】
図２は、本実施の形態に係るホームコントロールシステム１０に係るホームコントロールシステム制御部４０の概略構成を示すブロック図である。ホームコントロールシステム制御部４０は、ＣＰＵ（Central Processing Unit）４２と、ＨＤＤ（Hard Disk Drive）４４と、ＲＡＭ（Random Access Memory）４６と、ネットワークＩ／Ｆ部４８と、ＲＯＭ（Read Only Memory）５０と、表示部５２と、操作入力部５４と、バス５６とを含む。
【００２３】
ＣＰＵ４２は、ホームコントロールシステム制御部４０の全体の動作を司るものであり、後述する個人の特定に基づく設備機器の操作の許可又は禁止の判定は、ＣＰＵ４２により実行される。ＨＤＤ４４は、後述する個人の特定に基づく設備機器の操作の許可又は禁止の判定に係るプログラム、後述する操作許可情報及びＯＳ（Operating System）などが記録される不揮発性の記憶装置である。ＲＡＭ４６は、ＯＳやプログラムやデータが展開される揮発性の記憶装置である。ネットワークＩ／Ｆ部４８は、ネットワークに接続するためのものであり、ＮＩＣ（Network Interface Card）やそのドライバで構成される。ＲＯＭ５０は、ホームコントロールシステム制御部４０の起動時に動作するブートプログラムなどが記憶されている不揮発性の記憶装置である。表示部５２は、ホームコントロールシステム制御部４０に関する情報を操作者に表示するものである。操作入力部５４は、操作者がホームコントロールシステム制御部４０の操作や情報を入力する際に用いられるものであり、一例としてタッチパネル、キーボード等の入力装置及びマウス等のポインティングデバイスが含まれる。バス５６は、情報のやりとりが行われる際に使用される。
【００２４】
図３は、本実施の形態に係るホームコントロールシステム１０における個人の特定に基づく設備機器の操作の許可又は禁止の処理の一例を示すフローチャートである。ステップ３００では、スマートキーからの識別情報に基づいて、在室中の人物を特定する。ステップ３０２では、在室中の人物とＨＤＤ４４に記憶された操作許可情報とを照合する。
【００２５】
図４は、本実施の形態に係るホームコントロールシステム１０における操作許可情報の一例を示す図である。操作許可情報は、スマートキーの所有者の氏名等の識別情報に所有者による設備機器の操作の許可又は禁止を対応付けたもので、操作入力部５４の操作によって設定される。
【００２６】
図４で、「○」は操作を許可、「×」は操作を禁止である。図４では、エアコン、テレビ等の高熱を発しない又は作動している部分が原則として人の手に直接触れないものは、子供又は高齢者でも操作できるように規定されている。また、ＩＨヒーター、トースター、ポット、炊飯器、電子レンジ及び給湯リモコンのように、発熱する機器に係る操作は原則として子供又は高齢者には許可されない。ミキサー及び洗濯機のように作動している部分に人の手が触れ得るような機器の操作も子供又は高齢者には許可されない。
【００２７】
本実施の形態では、発熱する機器等の操作を子供又は高齢者に許可しない等の制御により、火傷、火災、怪我等の事故を防止する。ただし、室内に、これらの機器の操作が許可されない者以外に、これらの機器の操作が許可される居住者が同伴している場合には、子供又は高齢者等に対してもこれらの機器の操作を許可する。
【００２８】
すなわち、室内にＩＨヒーター等の機器の操作が許可される者と当該機器の操作が許可されない者とが混在している場合には、その室内の設備機器をオン制御することにより、その室内にいる者全員の操作を許可する。室内に操作が許可されない者のみが居る場合には、その室内の設備機器をオフ制御することにより、その室内にいる者全員の操作を禁止する。なお、その室内にいる者全員の操作を許可する場合には、設備機器の電源をオン制御し、かつ操作を許可する制御をしてもよい。また、その室内にいる者全員の操作を禁止する場合には、設備機器の電源はオン制御であっても、操作を禁止する制御をしてもよい。
【００２９】
当該機器の操作を許可される者がそうでない者を見守る状況であれば、室内にいる者全員の操作を許可しても火災等の事故のおそれは低くなると考えられるからである。
【００３０】
ステップ３０４では、ステップ３０２での照合結果に基づいて、設備機器のオン又はオフを制御して処理を終了する。
【００３１】
図５は、本実施の形態に係るホームコントロールシステム１０における母と子供が同じ室内にいる場合の操作許可情報の一例を示す図である。子供だけが室内にいる時は、ＩＨヒーター等の発熱する機器等は子供は操作できないが、すべての機器を操作できる母が同伴しているので、図５の場合は、子供でも操作できるように室内の設備機器をオン制御する。
【００３２】
図５は、本実施の形態に係るホームコントロールシステム１０における子供と高齢者が同じ室内にいる場合の操作許可情報の一例を示す図である。子供は電子レンジを操作できないが高齢者ａは操作が許可されるので、高齢者ａと同室内にいる子供も電子レンジの操作が可能なように電子レンジをオン制御する。しかしながら、ＩＨヒーター、トースター、ポット、ミキサー炊飯器、給湯リモコン及び洗濯機は、高齢者ａ及び子供には操作が許可されていないので、これらの機器をオフ制御することにより、高齢者ａ及び子供の操作を禁止する。
【００３３】
以上、説明したように、本実施の形態では、個人を識別した結果に基づいて、当該個人による設備機器の操作を許可又は禁止することができる。なお。本実施の形態では、ホームコントロールシステム制御部４０は各電力負荷に接続されている情報線を介して各電力負荷のオン又はオフを制御したが、操作を許可しない場合には分電盤２４から各電力負荷に供給する電力をオフにしてもよい。具体的には、操作を許可しない設備機器に電力を供給している分岐回路の分岐ブレーカーをオフにすることで、電力の供給を遮断する。
【符号の説明】
【００３４】
１０  ホームコントロールシステム
２０  住宅
２２  系統電力
２４  分電盤
３０Ａ、３０Ｂ、３０Ｃ、３０Ｄ、３０Ｅ  分岐回路
３２Ａ、３２Ｂ、３２Ｃ、３２Ｄ、３２Ｅ  電流センサ
３４Ａ、３４Ｂ、３４Ｃ、３４Ｄ、３４Ｅ  分岐ブレーカー
４０  ホームコントロールシステム制御部
４２  ＣＰＵ
４４  ＨＤＤ
４６  ＲＡＭ
４８  ネットワークＩ／Ｆ部
５０  ＲＯＭ
５２  表示部
５４  操作入力部
５６  バス
６２  テレビ
６４  エアコン
６６  炊飯器
７０  洗濯機
７２Ａ、７２Ｂ、７２Ｃ、７２Ｄ  居住者
７４Ａ、７４Ｂ、７４Ｃ、７４Ｄ  スマートキー
８０  リビング
８２  キッチン
８４  洗面所
８６Ａ、８６Ｂ、８６Ｃ  センサ
【図１】
2014232983.tif 000003
【図２】
2014232983.tif 000004
【図３】
2014232983.tif 000005
【図４】
2014232983.tif 000006
【図５】
2014232983.tif 000007
【図６】
2014232983.tif 000008